(57)【要約】【課題】原稿の取り忘れを防止できる画像処理装置を提供する。【解決手段】原稿を光学系で読み取るための載置領域を有する画像処理装置１である。画像処理装置は、原稿の読み取り結果を表示可能な操作パネル３１を備える。原稿の読み取り作業が完了した際、原稿が載置領域から取り除かれたと判断されるまで、原稿の読み取り結果から得られた画像処理イメージの画像を操作パネルに表示し続ける。また、原稿の読み取り作業が完了した際、原稿取り忘れ防止用の警告を開始する警告制御部４０をさらに備える。【選択図】図３
2014011774.tif 000002
【特許請求の範囲】
【請求項１】
原稿を光学的に読み取るための載置領域を有する画像処理装置であって、
前記原稿の読み取り結果を表示可能な表示部を備え、
前記原稿の読み取り作業が完了した際、前記原稿が前記載置領域から取り除かれたと判断されるまで、前記原稿の読み取り結果から得られた画像処理イメージの画像を前記表示部に表示し続けることを特徴とする画像処理装置。
【請求項２】
請求項１に記載の画像処理装置であって、
前記原稿の読み取り作業が完了した際、原稿取り忘れ防止用の警告を開始する警告制御部をさらに備えることを特徴とする画像処理装置。
【請求項３】
請求項２に記載の画像処理装置であって、
該画像処理装置は警告ランプを有し、前記原稿に対する画像処理の完了から所定時間経過した場合、前記警告制御部は、前記画像処理イメージの画像の表示を終了し、前記警告ランプを点灯させることを特徴とする画像処理装置。
【請求項４】
請求項１から３のいずれか１項に記載の画像処理装置であって、
前記原稿を載置する読取ガラスと、
該読取ガラス上の原稿を押さえる原稿押さえと、
前記読取ガラスに対する前記原稿押さえの開放状態を検出する検出部とをさらに備え、
該検出部によって前記原稿押さえの開放状態が検出された場合、前記原稿が前記載置領域から取り除かれたと判断されることを特徴とする画像処理装置。
【発明の詳細な説明】
【技術分野】
【０００１】
本発明は、画像処理装置に関し、詳細には、原稿を光学的に読み取るための載置領域を有する画像処理装置に関する。
【背景技術】
【０００２】
この種の画像処理装置は、例えば、原稿読取部の上面に読取ガラスを有しており、読取ガラスの下方には、移動可能なキャリッジが設置されている。原稿の読み取り面を読取ガラスに向けた状態で、原稿を読取ガラス上に載置し、次いで、原稿の読み取り面の裏面を原稿押さえで押さえると、原稿を読取ガラス上にセットできる。スタートキーの押し下げに伴い、原稿の読み取り面が光学的に読み取られる。そして、原稿の画像データが生成され、用紙に印刷される。
【０００３】
ここで、ユーザは、印刷された用紙を画像処理装置から取り出すが、原稿を画像処理装置から取り忘れることが多い。この場合、単なる警告音の吹鳴や案内の表示では、原稿の取り忘れに気付き難い。そこで、例えば、特許文献１，２には、見慣れない画像や作業中のユーザを撮影した画像などを警告画面として表示部に表示し、ユーザの注意を警告画面に向けさせる技術が提案されている。
【先行技術文献】
【特許文献】
【０００４】
【特許文献１】特開２００９−１３４２１５号公報
【特許文献２】特開２００９−１３４２１６号公報
【発明の概要】
【発明が解決しようとする課題】
【０００５】
しかしながら、特許文献１，２の警告画面は、印刷作業の終了時点から所定時間が経過するまで表示されており、この所定時間が経過した後は表示内容が消える。このため、時間の経過後は原稿の取り忘れに気付けないという問題がある。
特に、画像処理装置がコンビニエンスストアの店舗等に設置された場合、取り忘れた原稿から持ち主を特定し難く、また、申告があっても真の持ち主であるかの判断も困難である点を鑑みると、原稿が取り除かれるまでは、ユーザへの注意喚起を継続する必要がある。
【０００６】
本発明は、上述の如き実情に鑑みてなされたもので、原稿の取り忘れを防止できる画像処理装置を提供することを目的とする。
【課題を解決するための手段】
【０００７】
上記課題を解決するために、本発明の第１の技術手段は、原稿を光学的に読み取るための載置領域を有する画像処理装置であって、前記原稿の読み取り結果を表示可能な表示部を備え、前記原稿の読み取り作業が完了した際、前記原稿が前記載置領域から取り除かれたと判断されるまで、前記原稿の読み取り結果から得られた画像処理イメージの画像を前記表示部に表示し続けることを特徴とする画像処理装置である。
【０００８】
第２の技術手段は、第１の技術手段において、前記原稿の読み取り作業が完了した際、原稿取り忘れ防止用の警告を開始する警告制御部をさらに備えることを特徴とするものである。
【０００９】
第３の技術手段は、第２の技術手段において、該画像処理装置は警告ランプを有し、前記原稿に対する画像処理の完了から所定時間経過した場合、前記警告制御部は、前記画像処理イメージの画像の表示を終了し、前記警告ランプを点灯させることを特徴とするものである。
【００１０】
第４の技術手段は、第１から３のいずれか１の技術手段において、前記原稿を載置する読取ガラスと、該読取ガラス上の原稿を押さえる原稿押さえと、前記読取ガラスに対する前記原稿押さえの開放状態を検出する検出部とをさらに備え、該検出部によって前記原稿押さえの開放状態が検出された場合、前記原稿が前記載置領域から取り除かれたと判断されることを特徴とするものである。
【発明の効果】
【００１１】
本発明によれば、仮に、印刷作業の完了から所定時間が経過しても、原稿が載置領域から取り除かれない限り、画像処理イメージの画像の表示は終了しない。よって、ユーザへの注意喚起を継続でき、原稿の取り忘れを防止することができる。
また、画像処理イメージの画像を表示部に表示すれば、共有物である画像処理装置が個人の専有状態にあることをユーザに了知させ、ユーザにより強い違和感を与えることができ、原稿取り除きの促進に寄与する。
【図面の簡単な説明】
【００１２】
【図１】本発明による画像処理装置の外観斜視図である。
【図２】本発明による画像処理装置の読取ガラス周辺の説明図である。
【図３】本発明による画像処理装置の構成図である。
【図４】本発明による警告制御のフローチャートである。
【図５】本発明による警告制御のフローチャートである。
【図６】本発明による警告制御のフローチャートである。
【図７】本発明による表示／操作部の説明図である。
【図８】本発明による表示／操作部の説明図である。
【発明を実施するための形態】
【００１３】
以下、図面を参照しながら本発明の画像処理装置について説明する。図１は、本発明による画像処理装置の外観斜視図であり、画像処理装置１は、コインベンダー（図示省略）とともに例えば、コンビニエンスストアの店舗等に設置されている。ユーザは、画像処理装置１の管理者にその利用料金を支払い、自身が持ち込んだ原稿を画像処理装置１で読み取り、例えば、コピー、ＦＡＸ、メモリ保存などによるユーザ所望の処理を行う。
【００１４】
画像処理装置１は、例えば、胴内排紙型の装置本体１０を有し、装置本体１０の上面には原稿読取部１１が設けられている。原稿読取部１１の上方には、装置本体１０に対して回動自在に支持された原稿押さえ１２が設置されている。この原稿押さえ１２が原稿を覆うため、原稿を画像処理装置１から取り忘れることが多くなる。
原稿読取部１１の下方には排紙部１４が設けられ、排紙部１４は、表示／操作部２６を有した装置本体１０の正面に向けて開口している。
【００１５】
装置本体１０内において、排紙部１４の下方には印刷部１３が設置され、また、印刷部１３の下方には、カセット式の給紙部１５が設置されている。給紙部１５は、例えば、装置本体１０の正面側に向けて引き出し可能である。なお、給紙部１５は、上下方向に積み重ねられた多段で構成されていてもよい。また、装置本体１０の側面には、装置本体１０の側面に対して回動自在に構成された手差し部１６が設置されている。
【００１６】
図２は、本発明による画像処理装置の読取ガラス周辺の説明図である。図２では、原稿押さえ１２の図示を省略しており、原稿読取部１１の上面２１や、上面２１の手前側に位置した表示／操作部２６が見えている。
また、原稿読取部１１は、原稿を読み取るための幅広の読取ガラス２３を有し、読取ガラス２３の下方には、移動可能なキャリッジ２５が備えられている。キャリッジ２５は、その内部に光源、ミラー、レンズ、ＣＣＤセンサ等（図示省略）を有している。なお、ＣＣＤセンサ等はキャリッジ２５の外部に設けられてもよい。また、読取ガラス２３が本発明の載置領域に相当する。
【００１７】
図３は、本発明による画像処理装置の構成図である。画像処理装置１は、上記構成の他、制御部２７、通信Ｉ／Ｆ３０、記憶部３６、画像処理部３７、警告制御部４０、モード設定部４１、検出部４２等を有し、これらはバス２８を介して接続される。
制御部２７は、通信Ｉ／Ｆ３０を介して外部装置（図示省略）と通信可能に構成されている。通信Ｉ／Ｆ３０は、例えば、ＦＡＸ通信部、インターネット用通信部、赤外線通信部等を備えている。
【００１８】
制御部２７は、例えば、１あるいは複数個のＣＰＵ（Central Processing Unit）等からなり、記憶部３６の例えば、ＲＯＭに格納されている各種のプログラムやデータをＲＡＭにロードし、このロードしたＲＡＭ内のプログラムを実行する。これにより、データを処理しつつ、ユーザからの指示内容等に基づいて画像処理装置１の全体の動作を制御する。なお、制御部２７は、例えば、画像処理完了からの経過時間を計測可能なタイマーを有する。
【００１９】
表示／操作部２６は、例えば、液晶のディスプレイ３３と透明抵抗膜方式のタッチパネル３２からなる操作パネル３１や、接触接点を用いたハードキー３４からなる操作キーで構成される。操作パネル３１が本発明の表示部に相当する。なお、表示／操作部２６には、後述する警告ランプ３５も設置されている。
タッチパネル３２は、例えば、ディスプレイ３３に重ねて形成され、ディスプレイ３３には、画像処理装置１を操作するためのＧＵＩ（グラフィカルユーザインタフェース）が表示される。
【００２０】
画像処理部３７は、原稿読取部１１で読み取られた原稿のデータに種々の処理を行って画像データを生成する。この生成された画像データが印刷部１３に出力される。記憶部３６は、上記読み取られた原稿のデータや生成された画像データを格納できる。
また、画像処理部３７は、この生成された原稿の画像データをプレビュー用の画像処理イメージの画像に編集可能に構成されており、画像処理イメージの画像は操作パネル３１に出力される。なお、記憶部３６は、画像処理イメージの画像データも格納できる。
【００２１】
印刷部１３は、給紙、画像形成、転写、定着、排紙等を行って印刷を実行可能に構成され、画像処理部３７からの画像データを用紙に印刷する。印刷部１３が両面印刷機能を備えている場合には、用紙の片面の他、もう一方の面にも画像処理部３７からの原稿の画像データを印刷できる。なお、印刷部１３は、ユーザがステープルやファイリング用の穴明け等の処理を希望した場合には、後処理装置（図示省略）と連携して動作可能である。
【００２２】
また、警告制御部４０は、原稿読取部１１で原稿の読み取り作業が完了した際、画像処理イメージの画像を操作パネル３１に出力することにより、原稿取り忘れ防止用の警告を開始する。この警告は、例えば、原稿押さえ１２が開放されるまで続けられる。
モード設定部４１は、画像処理装置１を通常モードと待機モードとに切り替えることができ、待機モードに設定された画像処理装置１は、例えば、操作パネル３１が消灯したスタンバイ状態になる。
【００２３】
検出部４２は、読取ガラス２３に対する原稿押さえ１２の開放状態を検出している。具体的には、原稿読取部１１の上面２１には発光部や受光部が設けられ、原稿押さえ１２には遮光板が設けられている。遮光板は、原稿押さえ１２が原稿を押さえた場合、発光部と受光部との間に位置するように、原稿押さえ１２に形成されている。これにより、検出部４２は、例えば、発光部からの光が遮光板で遮られて受光部に入らない場合、原稿押さえ１２の閉じ状態を検出し、発光部からの光が遮光板で遮られずに受光部に入った場合、原稿押さえ１２の開放状態を検出する。
【００２４】
図４〜図６は、本発明による警告制御のフローチャートであり、図７，８は、本発明による表示／操作部の説明図である。
図７に示す操作パネル３１には、例えば、コピーキー５１、ＦＡＸキー５２、メモリ保存キー５３からなる待ち受け画面が表示されており（図４のステップＳ１０１）、ユーザがコピーキー５１を押し下げた場合（ステップＳ１０２のＹＥＳ）、制御部２７はコピーモードに設定する（ステップＳ１０５）。
【００２５】
一方、図７の待ち受け画面において、ユーザがＦＡＸキー５２を押し下げた場合（ステップＳ１０２のＮＯ、ステップＳ１０３のＹＥＳ）、制御部２７はＦＡＸモードに設定する（ステップＳ１０６）。これに対し、ユーザがメモリ保存キー５３を押し下げた場合（ステップＳ１０３のＮＯ、ステップＳ１０４のＹＥＳ）、制御部２７はメモリモードに設定する（ステップＳ１０７）。なお、いずれのキー５１〜５３が押し下げられなかった場合（ステップＳ１０４のＮＯ）、コピーモードに設定される。
【００２６】
原稿の読み取り面を読取ガラス２３に向けた状態で、原稿を読取ガラス２３上に載置し、次いで、原稿の読み取り面の裏面を原稿押さえ１２で押さえると、原稿が読取ガラス２３上にセットされる。
表示／操作部２６のスタートキー３４ａを押し下げると（ステップＳ１０８のＹＥＳ）、制御部２７は、ステップＳ１０５〜１０７等で設定したモードに従って、印刷処理、ＦＡＸ送信処理、メモリ記憶処理を実行する。
【００２７】
コピーモードが設定されていた場合（ステップＳ１０９のコピー）、印刷部１３は印刷準備を開始する（ステップＳ１１０）。制御部２７は、光学系、記憶部３６、画像処理部３７に信号を出力し、スキャン／記憶／プレビュー表示を実施させる（ステップＳ１１１）。これに対し、ＦＡＸモードやメモリ保存モードが設定されていた場合（ステップＳ１０９のＦＡＸ、メモリ）、制御部２７はスキャン／記憶／プレビュー表示を実施させる（ステップＳ１１２）。
【００２８】
スキャン／記憶／プレビュー表示は、スタートキー３４ａの押し下げに伴ってキャリッジ２５が移動し、原稿は、その読み取り面がＣＣＤセンサで検出される（図６のステップＳ２０１）。次に、記憶部３６は、読み取られた原稿のデータを格納する（ステップＳ２０２）。画像処理部３７は、ＣＣＤセンサの検出結果から原稿の画像データを生成すると共に、プレビュー用の画像処理イメージの画像データを、操作パネル３１に表示可能なサイズで生成する（ステップＳ２０３）。
【００２９】
そして、警告制御部４０が、この画像処理イメージの画像データを画像処理部３７から受け取り、図８に示すように、プレビュー画像５５を操作パネル３１に出力し（図６のステップＳ２０４）、原稿取り忘れ防止用の警告を開始する。このプレビュー画像５５が本発明の画像処理イメージの画像に相当する。その後、例えば、全ての原稿の読み取りが済んだ場合（ステップＳ２０５のＹＥＳ）、当該ルーチンを抜ける。
【００３０】
ここで、コピーモードに設定され（図４のステップＳ１０９のコピー）、印刷イメージのプレビュー画像が操作パネル３１に表示されている場合（ステップＳ１１１）、印刷部１３は、印刷準備が完了した後に（図５のステップＳ１１３のＹＥＳ）、印刷処理を実行する（ステップＳ１１４）。
一方、ＦＡＸモードに設定され（図４のステップＳ１０９のＦＡＸ）、送信イメージのプレビュー画像が表示されている場合には（ステップＳ１１２）、制御部２７は、通信Ｉ／Ｆ３０を介してＦＡＸ送信処理を実行する（図５のステップＳ１１６）。
【００３１】
あるいは、メモリ保存モードに設定されており（図４のステップＳ１０９のメモリ）、保存イメージのプレビュー画像が表示されている場合（ステップＳ１１２）、制御部２７は記憶部３６へのメモリ記憶処理を実行する（図５のステップＳ１１７）。
続いて、ステップＳ１１８では、制御部２７が、例えば、画像処理完了時点でタイマーを起動させ、画像処理完了時点からの計時を開始する。
【００３２】
その後、制御部２７は、原稿が読取ガラス２３から取り除かれたか否かを判断し（ステップＳ１１９）、例えば、検出部４２が、読取ガラス２３に対する原稿押さえ１２の開放状態を検出した場合には（ステップＳ１１９のＹＥＳ）、原稿が読取ガラス２３から取り除かれたと判断する。これにより、警告制御部４０は、原稿取り忘れ防止用の警告を解除し、プレビュー画像の表示を終了する（ステップＳ１２０）。
【００３３】
このように、原稿押さえ１２が開かれたと判断されるまで、プレビュー画像を操作パネル３１に表示し続け、原稿の取り忘れの警告を継続している。よって、ユーザへの注意喚起を継続でき、原稿の取り忘れを確実に防止することができる。
また、プレビュー画像を操作パネル３１に表示すれば、共有物である画像処理装置１が個人の専有状態にあることをユーザに了知させ、ユーザにより強い違和感を与えることができ、原稿の取り除きの促進に寄与する。
【００３４】
ところで、検出部４２が原稿押さえ１２の開放状態を検出しないまま（ステップＳ１１９のＮＯ）、制御部２７にて、画像処理完了時点から所定時間、例えば、原稿取り忘れ防止用の警告を継続したいが、画像処理装置１の省電力化を図った方がよいと考えられる時間が経過したと判断された場合（ステップＳ１２１のＹＥＳ）、モード設定部４１は、画像処理装置１を待機モードに切り替える。これにより、操作パネル３１が消灯し、警告制御部４０は、プレビュー画像の表示を終了する（ステップＳ１２２）。しかし、警告制御部４０は、スタートキー３４ａの周囲に設けられた警告ランプ３５を点灯させており（ステップＳ１２３）、原稿取り忘れ防止用の警告を継続する。
【００３５】
なお、その後、検出部４２が原稿押さえ１２の開放状態を検出し、制御部２７が原稿の取り除きを判断した場合（ステップＳ１１９のＹＥＳ）、警告制御部４０は、原稿取り忘れ防止用の警告を解除し、警告ランプ３５を消灯する（ステップＳ１２０）。
このように、画像処理装置１が待機モードに切り替えられたとしても、原稿取り忘れ防止用の警告は継続される。この結果、画像処理装置１の消費電力等を抑えつつ、ユーザへの注意喚起も維持可能になる。
【００３６】
なお、上記実施例では、図５に示すように、所定時間の経過に伴ってモード設定部４１が待機モードに切り替えていた（ステップＳ１２１のＹＥＳ、ステップＳ１２２）。しかし、ユーザに違和感を与える点を鑑みれば、制御部２７にて、原稿が読取ガラスから取り除かれたと判断されるまで、モード設定部４１による待機モードへの切り替えやログアウトを禁止し、プレビュー画像を操作パネル３１に表示し続けてもよい。
【００３７】
また、上記実施例では、幅広の読取ガラス２３に原稿をセットした例を挙げて説明したが、本発明は、図２に符号２２で示す自動読取用のガラス位置で原稿を読み取る場合にも適用可能である。詳しくは、画像処理装置１が、原稿押さえに替えて自動原稿送り装置（ＡＤＦ、図示省略）を備えている場合には、ＡＤＦから原稿読取部１１に向けて搬送された原稿は、ＡＤＦの下面で上方から押されつつ、ガラス位置２２上を通過し、光学的に読み取られる。読み取られた後の原稿はＡＤＦの排出トレイ上に載置される。
【００３８】
ここで、排出トレイには、例えば、原稿の有無を検出可能な検出部が設置され、その検出結果も制御部２７に出力される。そして、この検出部が排出トレイ上の原稿の無い状態を検出し、制御部２７が排出トレイから原稿の取り除きを判断するまで、警告制御部４０は、画像処理イメージの画像を操作パネル３１に表示し続けて原稿の取り忘れを警告してもよい。
【符号の説明】
【００３９】
１…画像処理装置、１０…装置本体、１１…原稿読取部、１２…原稿押さえ、１３…印刷部、１４…排紙部、１５…給紙部、１６…手差し部、２１…上面、２２…ガラス位置、２３…読取ガラス、２５…キャリッジ、２６…表示／操作部、２７…制御部、２８…バス、３０…通信Ｉ／Ｆ、３１…操作パネル、３２…タッチパネル、３３…ディスプレイ、３４…ハードキー、３４ａ…スタートキー、３５…警告ランプ、３６…記憶部、３７…画像処理部、４０…警告制御部、４１…モード設定部、４２…検出部、５１…コピーキー、５２…ＦＡＸキー、５３…メモリ保存キー、５５…プレビュー画像。
【図１】
2014011774.tif 000003
【図２】
2014011774.tif 000004
【図３】
2014011774.tif 000005
【図４】
2014011774.tif 000006
【図５】
2014011774.tif 000007
【図６】
2014011774.tif 000008
【図７】
2014011774.tif 000009
【図８】
2014011774.tif 000010